(57)【要約】【課題】  画像処理によって作成した補正画像と、画像処理の領域を示す領域指標とを対比可能に表示して、画像処理をより容易に行える補正画像表示技術を提供する。【解決手段】  特定の画像処理を通じて作成された補正画像と、前記画像処理されていない無補正画像とを表示画面上に表示する補正画像表示方法において、前記画像処理の領域を示す領域指標を生成し、前記領域指標を重ね合わせた前記無補正画像と、前記補正画像とを、選択的に表示する。【選択図】        図２
2006054714.tif 000002
【特許請求の範囲】
【請求項１】
特定の画像処理を通じて作成された補正画像と、前記画像処理されていない無補正画像とを表示画面上に表示する補正画像表示方法において、
前記画像処理の領域を示す領域指標を生成し、
前記領域指標を重ね合わせた前記無補正画像と、前記補正画像とを、選択的に表示することを特徴とする補正画像表示方法。
【請求項２】
特定の画像処理を通じて作成された補正画像と、前記画像処理されていない無補正画像とを表示画面上に表示する補正画像表示方法において、
前記画像処理の領域を示す領域指標を生成し、
前記領域指標を重ね合わせた前記無補正画像と、前記補正画像とを、同一表示画面上に表示することを特徴とする補正画像表示方法。
【請求項３】
前記領域指標が示す前記画像処理の設定を個別に変更することを特徴とする請求項１または２に記載の補正画像表示方法。
【請求項４】
特定の画像処理を通じて作成された補正画像と、前記画像処理されていない無補正画像とを表示画面上に表示する補正画像表示プログラムにおいて、
前記画像処理の領域を示す領域指標を生成する領域指標生成機能と、
前記領域指標生成機能によって生成された前記領域指標を重ね合わせた前記無補正画像と、前記補正画像とを、選択的に表示する表示機能とをコンピュータに実行させる補正画像表示プログラム。
【請求項５】
特定の画像処理を通じて作成された補正画像と、前記画像処理されていない無補正画像とを表示画面上に表示する補正画像表示プログラムにおいて、
前記画像処理の領域を示す領域指標を生成する領域指標生成機能と、
前記領域指標生成機能によって生成された前記領域指標を重ね合わせた前記無補正画像と、前記補正画像とを、同一表示画面上に表示する表示機能とをコンピュータに実行させる補正画像表示プログラム。
【請求項６】
特定の画像処理を通じて作成された補正画像と、前記画像処理されていない無補正画像とを表示画面上に表示する補正画像表示装置において、
前記画像処理の領域を示す領域指標を生成する領域指標生成部と、
前記領域指標生成部が生成した前記領域指標を重ね合わせた前記無補正画像と、前記補正画像とを、選択的に表示する表示部とから構成されることを特徴とする補正画像表示装置。
【請求項７】
特定の画像処理を通じて作成された補正画像と、前記画像処理されていない無補正画像とを表示画面上に表示する補正画像表示装置において、
前記画像処理の領域を示す領域指標を生成する領域指標生成部と、
前記領域指標生成部が生成した前記領域指標を重ね合わせた前記無補正画像と、前記補正画像とを、同一表示画面上に表示する表示部とから構成されることを特徴とする補正画像表示装置。
【発明の詳細な説明】
【技術分野】
【０００１】
本発明は、画像処理及び表示技術に関する。
【背景技術】
【０００２】
従来、写真フィルムでは、クロスフィルタや偏光フィルタ、ミラージュフィルタ等の特殊フィルタを使用することにより画調を変えることができる。これに対し、デジタルカメラや携帯電話等では、このような特殊フィルタを使用できないことから、特殊フィルタを写真フィルムに使用した場合と同様の効果を得るために画像処理を行う場合がある。例えば、写真フィルムにクロスフィルタを使用したときのクロス効果を得るために、画像に光芒データを合成するクロスフィルタ処理を行っている。尚、写真フィルムの場合にも、特殊フィルタの取扱いの煩雑さ等から、スキャナ等により画像を取り込んで画像処理を行うことがある。
この種の技術には、クロスフィルタを使用した場合と同様の効果を得るために、光輝領域を自動的に抽出すると共に、光輝領域から延びる光芒を表す光芒データを画像に合成する画像処理方法がある（例えば、特許文献１参照）。これは、自動的に抽出された光輝領域の位置を画像に表示し、確認しながら合成処理を行うものであり、個々の光輝領域について合成する光芒データの形状を決定するパラメータを指定可能である。
【０００３】
【特許文献１】特開平１１−３４６３０３号公報
【発明の開示】
【発明が解決しようとする課題】
【０００４】
しかし、特許文献１の画像処理方法は、画像処理の実施前に光芒データを追加する光輝領域を画像上で確認できるが、光輝領域の確認時には画像処理によって作成される補正画像を確認することができず、画像処理を行っていない無補正画像と補正画像とを比較することができない。このため、所望の画質を得るための画像処理作業が煩雑になるという問題があった。
【０００５】
本発明は上記の問題に鑑みてなされたものであり、その目的は、画像処理によって作成した補正画像と、画像処理の領域を示す領域指標とを対比可能に表示して、画像処理をより容易に行える補正画像表示技術を提供する点にある。
【課題を解決するための手段】
【０００６】
この目的を達成するための本発明に係る補正画像表示方法の特徴構成は、特定の画像処理を通じて作成された補正画像と、前記画像処理されていない無補正画像とを表示画面上に表示する補正画像表示方法において、前記画像処理の領域を示す領域指標を生成し、前記領域指標を重ね合わせた前記無補正画像と、前記補正画像とを、選択的に表示することを特徴とする点にある。
即ち、上記特徴構成によれば、例えば、クロス効果を得るために光輝領域に光芒データを合成するクロスフィルタ処理等の画像処理を実施する際、画像処理後の補正画像と、領域指標を重ね合わせた無補正画像とを選択的に表示可能にしたので、画像処理を行う領域と、画像処理を行った補正画像の仕上がりとを確認しながら作業を行うことができる。また、選択的に表示する構成としたことで、画像を表示画面上に大きく表示できるので、精細な画像処理を実施する場合に有用である。
【０００７】
この目的を達成するための本発明に係る補正画像表示方法の他の特徴構成は、特定の画像処理を通じて作成された補正画像と、前記画像処理されていない無補正画像とを表示画面上に表示する補正画像表示方法において、前記画像処理の領域を示す領域指標を生成し、前記領域指標を重ね合わせた前記無補正画像と、前記補正画像とを、同一表示画面上に表示することを特徴とする点にある。
即ち、上記特徴構成によれば、画像処理を実施する際、補正画像と領域指標を重ね合わせた無補正画像とを同一画面上に表示するので、補正画像と無補正画像とが対比容易になる。従って、画像処理の効果を容易に確認することができるので、所望の補正画像をより容易に得ることができる。
【０００８】
更に、他の特徴構成は、前記領域指標が示す前記画像処理の設定を個別に変更することを特徴とする点にある。
即ち、上記特徴構成によれば、領域指標毎に、例えば、クロス効果を得るために画像に光芒データを合成する場合、光芒データの形状を決定するパラメータ等の設定を個別に変更可能になるので、より細密に、補正画像全体を考慮して画像処理を行うことができる。
【０００９】
また、本発明は、上述した補正画像表示方法をコンピュータに実行させるプログラムやそのプログラムを記録した媒体も権利の対象とするものであり、そのような補正画像表示プログラムは、前記画像処理の領域を示す領域指標を生成する領域指標生成機能と、前記領域指標生成機能によって生成された前記領域指標を重ね合わせた前記無補正画像と、前記補正画像とを、選択的に表示する表示機能とを備えている。また、他の補正画像表示プログラムは、前記画像処理の領域を示す領域指標を生成する領域指標生成機能と、前記領域指標生成機能によって生成された前記領域指標を重ね合わせた前記無補正画像と、前記補正画像とを、同一表示画面上に表示する表示機能とを備えている。当然ながら、このような補正画像表示プログラムも上述した補正画像表示方法における全ての作用効果を得ることができる。更に、補正画像表示方法において記載した従属項に係る構成を補正画像表示プログラムに追加するのも好適である。
【００１０】
本発明は、更に、上述した補正画像表示方法を実施する補正画像表示装置も権利の対象としており、そのような補正画像表示装置は、前記画像処理の領域を示す領域指標を生成する領域指標生成部と、前記領域指標生成部が生成した前記領域指標を重ね合わせた前記無補正画像と、前記補正画像とを、選択的に表示する表示部とを備えている。また、他の補正画像表示装置は、前記画像処理の領域を示す領域指標を生成する領域指標生成部と、前記領域指標生成部が生成した前記領域指標を重ね合わせた前記無補正画像と、前記補正画像とを、同一表示画面上に表示する表示部とを備えている。当然ながら、このような補正画像表示装置も上述した補正画像表示方法における全ての作用効果を得ることができる。更に、補正画像表示方法において記載した従属項に係る構成を補正画像表示装置に追加するのも好適である。
本発明によるその他の特徴及び利点は、以下図面を用いた実施形態の説明により明らかになるだろう。
【発明を実施するための最良の形態】
【００１１】
本発明の第一実施形態について、図面に基づいて説明する。本発明に係る補正画像表示技術は、局所的に画像処理する場合に適用されるものであり、本実施形態では、クロス効果を得るために光輝領域から延びる光芒データを合成するクロスフィルタ処理を行う。
【００１２】
図１は、本発明による補正画像表示技術を採用した写真プリント装置のコントローラの種々の動作を行うための機能部を示しており、各機能は、ハードウエア又はソフトウエアあるいはその両方で構築している。
【００１３】
写真プリント装置は、スキャナ２０やメディアリーダ２１によって読み取られた画像を取り込んで次の処理のために必要な前処理を行う画像入力部３１と、グラフィック操作画面の作成やキーボード２４やマウス２５等による操作入力から制御コマンドを生成するグラフィックユーザインターフェース（以下ＧＵＩと略称する）を構築するＧＵＩ部３３と、ＧＵＩ部３３から送られてきた制御コマンドや直接キーボード２４等から入力された操作命令に基づいて所望のプリントデータを生成するために画像入力部３１からメモリ３０に転送された画像に対する画像処理等を行うプリント管理部３２と、色補正等のプレジャッジプリント作業時にプリントソース画像や予想仕上がりプリント画像さらにはＧＵＩ部３３から送られてきたグラフィックデータをモニタ２３に表示させるためのビデオ信号を生成するビデオ制御部３５と、画像処理が完了した画像に基づいてプリントステーション１に適したプリントデータを生成するプリントデータ生成部３６と、顧客の要望に応じて生の画像や画像処理が完了した画像等をＣＤ−Ｒに書き込むための形式にフォーマットするフォーマッタ部３７とを備えている。
【００１４】
プリント管理部３２は、プリントサイズやプリント枚数などを管理するプリント注文処理ユニット６０、メモリ３０に展開された画像に対して色補正やフィルタリング（ぼかしやシャープネスなど）等のフォトレタッチ処理を施す画像処理ユニット７０を備えている。
【００１５】
画像処理ユニット７０には本発明に係る補正画像表示技術を採用した画像処理表示手段９０が含まれている。画像処理表示手段９０には、図２に示すように、データ入力部９１、画像処理部９２、領域指標生成部９３、表示部９４及びデータ出力部９５を備えている。画像処理部９２は、特定の画像処理により補正画像を作成する処理部である。領域指標生成部９３は、画像処理の領域を示す領域指標を生成する処理部であり、表示部９４は、領域指標を重ね合わせた無補正画像と、補正画像とを、選択的に表示する処理部である。
【００１６】
上述した各処理部（各ステップ、各機能）における処理の詳細について説明する。
先ず、補正画像及び領域指標の作成について、図３を基に説明する。図３は、画像処理ルーチンを示すフローチャートである。
画像処理表示手段９０は、ＧＵＩ部３３からの入力により、画像処理画面（図示せず）を起動し、画像処理を行い補正画像を作成する画像を指定するための指定画面をモニタ２３の表示画面上に表示する。データ入力部９１は、マウス２５やキーボード２４によって画像が指定されると、指定された画像（無補正画像）をメモリ３０から取得（＃１０１）する。更に、画像処理設定をメモリ３０若しくはＧＵＩ部３３、またはその両方から取得して（＃１０２）、無補正画像と共に画像処理部９２に出力する。本実施形態では画像処理としてクロスフィルタ処理を行うため、データ入力部９１は、画像処理設定として光輝領域から延びる光芒データの形状を決定するパラメータ（強度等）等を取得する。
【００１７】
画像処理部９２は、データ入力部９１から画像処理を行う画像と、画像処理設定とを取得する。ここで、画像処理部９２は、合成する光芒データの中心座標を示す補正基準点を決定し、領域指標生成部９３に出力する。そして、補正基準点に基づいて画像処理を行い、補正画像５０を作成する（＃１０３）。図６は、補正画像５０の例であり、光輝から延びる光芒を示す光芒データを合成したものである。各光芒の強度等は、光輝の大きさ若しくはＧＵＩ部３３からの設定入力によって決定する。
【００１８】
領域指標生成部９３は、画像処理部９２から補正基準点を受取ると、画像処理の領域を示す領域指標５２を生成し（＃１０４）、無補正画像５１に領域指標５２を合成した画像を生成する。図７は、領域指標５２を重ね合わせた無補正画像５１の例を示している。ここでの領域指標５２は、クロスフィルタ処理において合成する光芒データの光輝を囲む円であり、視認し易いように背景画素の補色を用いて描画してある。
【００１９】
更に、本実施形態の画像処理表示手段９０は、領域指標５２が示す画像処理の設定を個別に変更可能に構成されている。例えば、クロスフィルタ処理後の補正画像５０について、ＧＵＩ部３３から、光芒データの設定変更が入力された場合や、光芒データを追加する光輝が新たに指定された場合（ステップ＃１０５でＹｅｓ分岐）、ステップ＃１０２に移行し、データ入力部９１が、データ入力部９１から設定変更や追加に係る画像処理設定を取得する。詳細には、例えば、モニタ２３の表示画面上に領域指標５２を重ね合わせた無補正画像５１が表示されているときに、マウス２５等によって領域指標５２の一つが選択され、光芒データの形状を決定するパラメータ、強度の値等が変更されると、これらの変更内容をＧＵＩ部３３を介してデータ入力部９１が取得する。そして、データ入力部９１が取得した変更内容及び画像処理設定に基づいて、画像処理部９２が新たな補正画像５０を作成し（＃１０３）、領域指標生成部９３が新たな領域指標５２を生成する（＃１０４）。このように、領域指標５２が示す画像処理の設定を個別に変更するべく、ステップ＃１０２乃至＃１０４を繰返し実行することにより、所望の補正画像５０を得ることができる。追加の画像処理を行う場合も同様に、表示画面上で入力された追加の画像処理設定を取得し、ステップ＃１０２乃至＃１０４を実行することで、所望の補正画像５０を得ることができる。ＧＵＩ部３３から画像編集の終了が入力された場合には、画像処理及び表示処理を終了し（＃１０５でＮｏ分岐）、補正画像５０をメモリ３０に記憶する。
【００２０】
次に、補正画像５０及び領域指標５２を重ね合わせた無補正画像５１の表示処理について、図４を基に説明する。図４は、表示処理ルーチンを示すフローチャートである。
表示部９４は、ＧＵＩ部３３によって画像が指定された後、表示設定に従って、領域指標生成部９３が作成した領域指標５２を重ね合わせた無補正画像５１と、画像処理部９２が作成した補正画像５０とを、モニタ２３上の表示領域上に選択的に表示させる。尚、モニタ２３には、補正画像５０若しくは領域指標５２を重ね合わせた無補正画像５１の何れか一方のみを選択的に表示可能な表示領域と、補正画像５０及び領域指標５２を重ね合わせた無補正画像５１の表示を切替える切替えボタンが構成された表示画面が表示されている。
【００２１】
ここで、図４は、補正画像５０と領域指標５２を重ね合わせた無補正画像５１との切替え表示のフローチャートを示している。表示部９４は、ＧＵＩ部３３からの入力により、モニタ２３に表示する画像として補正画像５０が設定されている場合には（＃５０１で補正画像分岐）、図６に示すように、データ出力部９５等を介してモニタ２３の表示領域上に補正画像５０を表示させる（＃５０２）。モニタ２３に表示する画像として領域指標５２を重ね合わせた無補正画像５１が設定されている場合には（＃５０１で領域指標及び無補正画像分岐）、図７に示すように、データ出力部９５等を介してモニタ２３の表示領域上に領域指標５２を重ね合わせた無補正画像５１を表示させる（＃５０３）。更に、表示部９４は、モニタ２３の表示画面上で切替えボタンが選択された場合、表示画像の設定を、補正画像５０と領域指標５２を重ね合わせた無補正画像５１とで切替える。これによって、ステップ５０１において表示される画像が切替えられ、利用者は両画像を任意に切替え表示可能になる。
【００２２】
本発明の第二実施形態について、図面に基づいて説明する。
上記第一実施形態では、領域指標生成部９３が生成した領域指標５２を重ね合わせた無補正画像５１と、画像処理部９２が作成した補正画像５０とを、モニタ２３上の表示領域上に選択的に表示させる構成について説明したが、本実施形態では、領域指標５２を重ね合わせた無補正画像５１と、補正画像５０とを、同一表示画面上に表示する。
【００２３】
この場合には、図５に示すように、ステップ＃１０４において、領域指標生成部９３が領域指標５２を生成し、領域指標５２を重ね合わせた無補正画像５１を作成した後、表示部９４が、画像処理部９２によって作成された補正画像５０と、領域指標生成部９３によって作成された領域指標５２を重ね合わせた無補正画像５１とを、モニタ２３の同一表示画面上に、対比可能な状態に表示する（＃１０６）。
また、第一実施形態と同様に、領域指標５２が示す画像処理の設定を個別に変更可能に構成されている。領域指標５２を重ね合わせた無補正画像５１上で、ＧＵＩ部３３により領域指標５２が選択され設定が変更されると、画像処理部９２が新たな設定に基づく新たな補正画像５０を作成し、表示部９４が新たな補正画像５０を表示する。これによって、画像処理後の仕上がりを確認しながら画像処理を行うことができるので、より容易に所望の補正画像５０を得ることができる。
【００２４】
尚、第一実施形態では、領域指標５２を重ね合わせた無補正画像５１と補正画像５０とを選択的に表示する構成について、第二実施形態では、同一表示画面上に表示する構成について説明したが、選択的に表示する構成と同一表示画面上に表示する構成とを選択できるように構成するのも望ましい実施態様である。
【図面の簡単な説明】
【００２５】
【図１】本発明に係る補正画像表示技術を採用した写真プリント装置の構成図
【図２】本発明による画像処理表示手段の構成図
【図３】第一実施形態における画像処理ルーチンを示すフローチャート
【図４】第一実施形態における表示処理ルーチンを示すフローチャート
【図５】第二実施形態における画像処理及び表示処理ルーチンを示すフローチャート
【図６】本発明の補正画像の一例を示す図
【図７】本発明の領域指標を重ね合わせた無補正画像の一例を示す図
【符号の説明】
【００２６】
５０  補正画像
５１  無補正画像
５２  領域指標
９２  画像処理部
９３  領域指標生成部
９４  表示部
【図１】
2006054714.tif 000003
【図２】
2006054714.tif 000004
【図３】
2006054714.tif 000005
【図４】
2006054714.tif 000006
【図５】
2006054714.tif 000007
【図６】
2006054714.tif 000008
【図７】
2006054714.tif 000009